(57)【特許請求の範囲】
【請求項１】
印刷部よりの用紙をプルロール部にて引き込み、これにファイルパンチ、マージナルパンチ、スリット、横ミシン目等を加工するフォーム印刷機における加工装置において、
プルロール部の下流側に、マージナルパンチ加工機とファイルパンチ加工機とを上下方向に配置し、
横ミシン目加工機の下流側にシート出し経路を着脱可能にして設け、
折機を横ミシン目加工機の下方に配置すると共に、この折機の下流側に、折紙排出用コンベアを着脱可能にして設けた
ことを特徴とするフォーム印刷機における加工装置。
【請求項２】
シート出し経路と折紙排出用コンベアを離脱した加工装置に、横ミシン目加工機より排出される用紙を巻き取る巻取装置を設けた
ことを特徴とする請求項１記載のフォーム印刷機における加工装置。
【発明の詳細な説明】
【０００１】
【発明の属する技術分野】
本発明は、フォーム印刷機において、これの印刷部にて印刷された用紙にファイルパンチ、マージナルパンチ、スリット、横ミシン目等の必要な加工を施すために、上記印刷部の下流側に配置する加工装置に関するものである。
【０００２】
【従来の技術】
フォーム印刷機の加工装置では、用紙をプルロールで引き込み、ファイルパンチ、マージナルパンチ、スリッタ、横ミシン目等の必要な加工を施した後、シート出し、または折機にてジグザグ折にして製品出しを行っている。
【０００３】
従来の上記加工装置は例えば図１に示すようになっていて、印刷部１の下流側に位置する加工装置２を構成するファイルパンチ加工機３、マージナルパンチ加工機４、横ミシン目加工機５が用紙の走行方向に従って直列状で、しかも略水平状に配置されており、さらにこれの下流側に折機６が配置されている。
【０００４】
【発明が解決しようとする課題】
このため、従来のフォーム印刷機における加工装置にあっては、加工装置を構成する各装置が直列状で、かつ水平状に配置されているため、各構成装置の数だけ設置スペースを必要とし、その上、各装置間に必要な操作スペースも水平方向になるため、この加工装置の水平方向の大きさが大きくなり、フォーム印刷機全体の設置スペースが大きくなってしまうという問題があった。
【０００５】
またファイルパンチ加工機を使用しないときでも、用紙はファイルパンチ加工装置を通過させる必要があり、その上、折機６が加工装置の横ミシン目加工機５より離れた下流側に位置されているため、加工と折り間の紙パスが長く、用紙がバタ付いたり、伸びが生じ、見当精度不良や、用紙蛇行などが生じるという問題もあった。
【０００６】
本発明は上記のことにかんがみなされたもので、加工装置の設置スペースを大幅に減少することができ、不使用の加工機の紙パスをショートカットできるようにし、さらに折機を加工装置の横ミシン目加工機に対して極めて短い紙パスにて接続できるようにし、さらに必要に応じて横ミシン目加工機より排出される用紙を巻き取っていくことができるようにしたフォーム印刷機における加工装置を提供することを目的とするものである。
【０００７】
【課題を解決するための手段】
上記目的を達成するために、本発明に係るフォーム印刷機における加工装置は、印刷部よりの用紙をプルロール部にて引き込み、これにファイルパンチ、マージナルパンチ、スリット、横ミシン目等を加工するフォーム印刷機における加工装置において、プルロール部の下流側に、マージナルパンチ加工機とファイルパンチ加工機とを上下方向に配置し、横ミシン目加工機の下流側にシート出し経路を着脱可能にして設け、折機を横ミシン目加工機の下方に配置すると共に、この折機の下流側に、折機排出用コンベヤを着脱可能にして設けた構成になっている。また、シート出し経路と折紙排出用コンベアを離脱した加工装置に、横ミシン目加工機より排出される用紙を巻き取る巻取装置を設けた構成になっている。
【０００８】
【作    用】
マージナルパンチ加工のほかにファイルパンチ加工を行うには、用紙を、この両パンチ孔を穿孔するためのマージナルパンチ加工機とファイルパンチ加工機に直列状にして通す。ファイルパンチ孔を穿孔しない場合は用紙はファイルパンチ加工機をショートカットしてマージナルパンチ加工機から他の加工機へ紙通しする。
【０００９】
用紙をシート出しする場合には横ミシン目加工機のカッタを全刃にして、これをシートカット機として用い、この横ミシン目加工機よりシート出し経路を経てスタッカ装置へ排出する。
【００１０】
用紙を折りたたみ排出する場合には、横ミシン目加工機の下流側に折紙搬送装置を装着して、横ミシン目加工機より、これの下方の折機へ用紙を通し、折機にて折られた用紙を折りたたみ経路を経て排出する。また、横ミシン目加工機より排出される用紙を巻取るには、シート出し経路に替えて巻取装置への経路に替え、これにて横ミシン目加工機よりの用紙を巻取っていく。
【００１１】
【発明の実施の形態】
本発明の実施の形態を図２以下に基づいて説明する。図中１１は図示しないフォーム印刷機の印刷部の下流側に配置される加工装置である。そして、この加工装置１１は従来のものと同様に、印刷部からの用紙１２を引き込むプルロール部１３、用紙１２にマージナルパンチ孔を穿孔するマージナルパンチ加工機１４、用紙１２にファイルパンチ孔を穿孔するファイルパンチ加工機１５、用紙１２にスリットを入れるスリット加工機１６、用紙１２に横ミシン目を入れる横ミシン目加工機１７、横ミシン目に沿って用紙３を折りたたむ折機１８、横ミシン目加工機１７の下流側に位置するシート出しコンベア１９、シート紙を集積するスタッカ装置２０、さらに折機１８の下流側に位置する折り出しコンベア２１とを有している。この加工装置１１を構成する各加工機のそれぞれは従来から用いられているものと大略同一構成になっている。なお、横ミシン目加工機１７はカッタを全刃のものに交換することによりシートカッタの作用を行わせることができるようになっている。
【００１２】
上記加工装置１１において、プルロール部１３は最上部に位置し、このプルロール部１３の下側にマージナルパンチ加工機１４が配置されている。そしてこのマージナルパンチ加工機１４の下側にファイルパンチ加工機１５が配置されている。プルロール部１３から上記両パンチ加工機１４，１５に至る紙通し経路はマージナルパンチ加工機１４だけを通る経路と、ファイルパンチ加工機１５からマージナルパンチ加工機１４に至る直列状の経路との２つが選択的に用いられるようになっている。
【００１３】
すなわち、図３に示すように、プルロール部１３からの用紙１２は、マージナルパンチ加工機１４の入口ロール２２からマージナルパンチ加工機１４に入るショートカット経路ａと、図２に示すように、プルロール部１３からファイルパンチ加工機１５の入口ロール２３を経てファイルパンチ加工機１５に入り、ついでマージナルパンチ加工機１４の入口ロール２２ａからマージナルパンチ加工機１４に入る直列経路ｂとが多数のガイドロールにて構成されている。この両経路ａ，ｂは縦（上下）方向になっている。
【００１４】
一方、スリット加工機１６と横ミシン目加工機１７とシート出しコンベア１９は順に略水平方向に配列してあり、マージナルパンチ加工機１４からスタッカ装置２０に至るシート出し経路ｃは略水平になっている。
【００１５】
また、折機１８は横ミシン目加工機１７の出口側の下方に配置されている。そしてこの折機１８の下側に折出用コンベア２１が配置されている。この折出用コンベア２１の下流側に折紙排出用コンベア２４が設けてあり、これにより折りたたみ経路ｄが形成され、この経路ｄは上記シート出し経路ｃの下側になっている。
【００１６】
上記構成において、横ミシン目加工機１７の下流側に位置するシート出用コンベア１９とスタッカ装置２０及び折紙排出用コンベア２４のそれぞれは加工装置１１のフレーム１１ａに対して着脱可能になっていると共に、それぞれの下端にはキャスタが備えてあり、上記フレーム１１ａから離脱した状態で移動可能になっている。
【００１７】
一方この加工装置にあっては、図４に示すように、シート出用コンベア９、スタッカ装置２０及び折紙排出用コンベア２４をフレーム１１ａから離脱した状態で、横ミシン目加工機１７から排出される用紙１２を巻き取る巻取装置２５が用いられるようになっている。
【００１８】
巻取装置２５は図４、図５に示すようになっていて、紙筒２６に挿通してこれを支持する巻取軸２７と、この巻取軸２７の両端部を支持してこれを昇降する一対のリフトアーム２８と、前後１対の各フレーム２５ａ，２５ｂ（後側のフレーム２５ｂのみ図示）に回転自在に、かつ軸方向に摺動可能に支持され、上記巻取軸２７の端部に回転方向にピン３０と溝３１とにより係合する一対の連結軸２９と、一方の連結軸２９にプーリ３２ａ，３２ｂ及びベルト３３にて連結して連結軸２９を回転する巻取モータ３４とからなっている。
【００１９】
この巻取装置２５は公知のものが用いられるもので、巻取モータ３４の回転速度はダンサーローラ３５が用紙１２にかかるテンションＴが一定になるように電気的にコントロールされるようになっている。図中３６はダンサーローラ３５を支持するアームで、このアーム３６は支点３７で回動自在に支持され、これの中間部に重錘３８が取付けてある。３９はリフトアーム２８を回動するシリンダーである。支点３７にはアーム３６の回動角を検出するセンサ３７ａが取付けられている。
【００２０】
巻取装置２５への紙筒２６のセットは、まず紙筒２６内に挿入した巻取軸２７を下方へ回動した状態のリフトアーム２８の先端に設けたカムフォロア４０，４０を介して支持する。その後、シリンダー３９を短縮動してリフトアーム２８を上側へ回動して巻取軸２７を連結軸２９と同心状態にする。なおこの状態にしたとき、及びこれより前に、巻取軸２７内にエアーを注入して巻取軸２９に設けた爪４１を起動させて巻取軸２７に紙筒２６を固定する。
【００２１】
この状態で両側の連結軸２９を軸方向内側へ移動させてこれと巻取軸２９とを連結する。なお、この巻取装置２５の前後のフレーム２５ａ，２５ｂは加工装置１１のフレームと一体状になっている。そして上記したスタッカ装置２０及び折紙排出用コンベヤ２４を加工装置１１に装着する場合には、巻取装置２５の巻取軸２７等を取り外し、この巻取装置２５の前後のフレーム２５ａ，２５ｂの間に上記スタッカ装置２０及び折紙排出用コンベヤ２４を入れてこれらを加工装置１１に装着する。
【００２２】
上記構成において、印刷部よりプルロール部１３にて引き込まれた用紙１２は上記各経路ａ〜ｄを選択的に通ることにより、各種の加工が選択的に行われる。
【００２３】
すなわち、ファイルパンチ孔を穿孔する場合には図２に示すように、直列経路ｂを通ってファイルパンチ加工機１５を経てからマージナルパンチ加工機１４に用紙１２を通す。またファイルパンチ孔を穿孔しない場合は図３に示すように、ショートカット経路ａを通って直接マージナルパンチ加工機１４へ通す。
【００２４】
横ミシン目加工機１７を境に、折りを行う場合には、図２におけるシート出用コンベア１９とスタッカ装置２０をフレーム１１ａより離脱しておく。そして横ミシン目加工機１７にて横ミシン目を加工された用紙１２を、下方の折りたたみ経路ｄへ通して折機１８にて折りたたみ、折出用コンベア２１を経て折紙排出用コンベア２４へ排出する。
【００２５】
一方、用紙１２をシート出しする場合は、横ミシン目加工機１７のカッタを全刃にして用紙１２をシート状にしてシート出し経路ｃを通り、シート出しコンベア１９を経てスタッカ装置２０へ排出する。なおこのとき、折紙排出用コンベア２４が邪魔になるようであれば、これをあらかじめ離脱しておく。
【００２６】
さらに、横ミシン目加工機１７より排出される用紙１２をロール状に巻き取る場合には、図２におけるシート出用コンベア１９、スタッカ装置２０及び折紙排出用コンベア２４を離脱し、図４に示すように巻取装置２５を使えるようにする。
【００２７】
【発明の効果】
本発明によれば、加工装置の入口部であるプルロール部から、マージナルパンチ加工機とファイルパンチ加工機が上下方向に配置されていること、及び横ミシン目加工機からのシート出し経路の下側に折りたたみ経路が配置されていることにより、複数の加工機からなる加工装置の水平方向の長さを短くできてこれの設置スペースを小さくできる。
【００２８】
またファイルパンチ加工機を使わない場合には、これをショートカットできること、及び折機を横ミシン目加工機の直後の位置に配置できることにより、従来に比べて紙パスが非常に短くできると共に、見当精度向上、用紙蛇行の防止を図ることができる。
【００２９】
さらに、横ミシン目加工機より排出される用紙をシート出し経路に替えて巻取装置にて巻き取ることができ、加工装置の用途を広くすることができる。
【図面の簡単な説明】
【図１】従来のフォーム印刷機における加工装置を示す正面図である。
【図２】本発明の実施の形態の要部を概略的に示す説明図である。
【図３】異なる用紙経路を示す説明図である。
【図４】本発明の他の実施の形態を概略的に示す説明図である。
【図５】巻取装置の要部を概略的に示す斜視図である。１…印刷部、２，１１…加工装置、３，１５…ファイルパンチ加工機、４，１４…マージナルパンチ加工機、５，１７…横ミシン目加工機、６，１８…折機、１１ａ，２５ａ…フレーム、１２…用紙、１３…プルロール部、１６…スリット加工機、１９…シート出しコンベア、２０…スタッカ装置、２１…折出用コンベア、２２，２２ａ，２３…入口ロール、２４…折紙排出用コンベア、２５…巻取装置、２６…紙筒、２７…巻取軸、２８…リフトアーム、２９…連結軸、３０…ピン、３１…溝、３２ａ，３２ｂ…プーリ、３３…ベルト、３４…巻取モータ、３５…ダンサーローラ、３６…アーム、３８…重錘、３９…シリンダ、４０…カムフォロア、４１…爪。
【図１】
0004214345.tif 000002
【図２】
0004214345.tif 000003
【図３】
0004214345.tif 000004
【図４】
0004214345.tif 000005
【図５】
0004214345.tif 000006